(57)【要約】【課題】衝撃の分散化と頸部への負荷を軽減する事ができる、犬猫用車輛用ハーネス構造を提供する事。【解決手段】犬猫用車輛用ハーネスの構造体は、折り返す事で左右両端部にループを形成する胸部１横ベルト９ａ、胸部２横ベルト９ｂ、胸部３横ベルト９ｃが、胸部縦ベルト８に、人体骨格の肋骨のような形態になるように縫合によって結合（結合部２３ａ、２３ｂ、２３ｃ）されることで形成されている。胸部に至っている左胸ベルト７ａ、右胸ベルト７ｂの各両端が、各胸部横ベルトの左右に形成される左ループ部３１右ループ部３２を挿通して前足上部を通って背部に至り左胸ベルト７ａは右縦ベルト５ｂに、右胸ベルト７ｂは左縦ベルト５ａに、それぞれ着脱自在に結合可能なバックル１３（雄バックル１３ａ、雌バックル１３ｂ）を介して結合している。【選択図】  図１
2005261409.tif 000002
【特許請求の範囲】
【請求項１】
下記の要件を備えたことを特徴とする犬猫用車輌用ハーネス
（ア）身体の胸部前面を覆う前身頃と背面を覆う後身頃を構成するベルト構造体を有しており、当該ベルト構造体は可撓性を有する帯状のベルトの結合によって形成されていること。
（イ）前記ベルト構造体は、後身頃の一部を構成する、横ベルトと左右一対の縦ベルトを有していること。
（ウ）前記横ベルトは、後身頃から左右の前足脇下の近くを通り胸部に至るようになっていること。
（エ）前記縦ベルトの下端は、折り返す事でループを形成しており、前記横ベルトと後身頃において結合されていること。
（オ）胸部前面を覆うベルト構造体の構造は、一本ないし複数本の縦ベルトと前記縦ベルトに結合して肋骨状に左右に広がり先端がループを形成している一本ないし複数本のベルトで形成されている事。
（カ）後身頃から左右の前足脇下の近くを通り胸部に至っている前記横ベルトの左右それぞれの先端は、肋骨状に左右に広がり、先端がループを形成している前記ループベルトの左右のループを挿通し、前足の上側を通り後身頃に至り前記二本の縦ベルトの左右の上端にそれぞれ互いに着脱自在に結合可能な留具を介して結合している事。
【発明の詳細な説明】
【発明の詳細な説明】
【技術分野】
【０００１】  本願発明は、犬猫の身体に装着し、車輛に備えられているシートベルトを利用して、自動車の衝突等による衝撃から犬猫の身体を保護する車輛用ハーネスに関するものである。
【背景技術】
【０００２】  従来、本願発明者の考案した、身体に装着して、車輛に備えられているシートベルトを利用して、自動車の衝突等による衝撃から身体を保護する図３に示すような犬猫用車輛用ハーネスがある。
同図において１０１は従来の犬猫用車輛用ハーネスを表している。
図３の（ａ）は犬猫用車輛用ハーネス１０１のベルト構造体を説明するための正面図、図３の（ｂ）は犬猫用車輛用ハーネスの１０１のベルト構造体を説明するための背面図、図３の（ｃ）は車輛のシートベルトをベルト構造体の所定の部位に挿通させた状態を説明するための背面図である。
図３（ａ）、（ｂ）に示したようなベルト構造体で形成されている。
ベルト構造体の要素となる各ベルトは、可撓生を有する繊維で織られた、織物が採用されている。【０００３】  前記犬猫用車輛用ハーネス１０１のベルト構造体は、以下の構成を有している。
ベルト構造体は、首輪ベルト１０２と胴輪ベルト１０３を有している。
首輪ベルト１０２と胴輪ベルト１０３は、背部で縦ベルト１０４により連結している。
縦ベルト１０４と身体との間に車輛のシートベルトを挿通させるようになっている。
【発明が解決しようとしている課題】
【０００４】  前記従来の犬猫用車輛用ハーネス１０１（以下、車輛用ハーネス）は、犬猫の身体に装着した後に車輛用シートベルト１０５によって車輛用ハーネスを保持し、車輛用ハーネスを装着した犬猫の身体を拘束するものである。
【０００５】  事故等により、犬猫の身体を拘束する必要が出た場合、犬猫の身体には非常に大きな衝撃が加わる事が解っている。
その為、犬猫の身体に加わる衝撃を出来るだけ分散させ、尚且つ頸部などに負荷がかからない構造にして犬猫の身体へのダメージを軽減する必要がある。
【０００６】  しかし、首輪ベルト１０２と胴輪ベルト１０３の二本のベルトだけで拘束するため衝撃を分散させる事が出来なかった。
また、首輪を用いる事から頸部への負荷が大きく掛っていた。
衝撃の分散化と頸部への負荷を軽減する事を課題とする。
【課題を解決するための手段】
【０００７】  請求項１に記載の発明に係る犬猫用車輛用ハーネスは、上記課題を解決するために、下記の構成を有している。
すなわち、
（ア）身体の胸部前面を覆う前身頃と背面を覆う後身頃を構成するベルト構造体を有しており、当該ベルト構造体は可撓性を有する帯状のベルトの結合によって形成されていること。
（イ）前記ベルト構造体は、後身頃の一部を構成する、横ベルトと左右一対の縦ベルトを有していること。
（ウ）前記横ベルトは、後身頃から左右の前足脇下の近くを通り胸部に至るようになっていること。
（エ）前記縦ベルトの下端は、折り返す事でループを形成しており、前記横ベルトと後身頃において結合されていること。
（オ）胸部前面を覆うベルト構造体の構造は、一本ないし複数本の縦ベルトと前記縦ベルトに結合して肋骨状に左右に広がり先端がループを形成している一本ないし複数本のベルトで形成されている事。
（カ）後身頃から左右の前足脇下の近くを通り胸部に至っている前記横ベルトの左右それぞれの先端は、肋骨状に左右に広がり、先端がループを形成している前記ループベルトの左右のループを挿通し、前足の上側を通り後身頃に至り前記二本の縦ベルトの左右の上端にそれぞれ互いに着脱自在に結合可能な留具を介して結合している事。
【発明を実施するための最良の形態】
【０００８】  本願発明の係る犬猫用車輛用ハーネスの形態を図に表し、その図を用いて実施形態を説明する。
図１において１は、本願発明の請求項１に係る犬猫用車輛用ハーネスを表しており、図１（ａ）は犬猫用車輛用ハーネスの正面図、図１（ｂ）は背面図を表している。
前記犬猫用車輛用ハーネスを構成するベルト構造体について説明する。
ベルト構造体を構成する各ベルトは、それぞれ可撓性の有する繊維によって形成された幅広の織物として形成されている。【０００９】  背面の下側から上部に亘る位置には縦ベルトとして左右二本のベルト部を形成する左縦ベルト５ａ、右縦ベルト５ｂが設けられている。
図１（ｂ）に示すように、左胸ベルト７ａ、右胸ベルト７ｂ背面において左縦ベルト５ａ、右縦ベルト５ｂに縫合によって結合（結合部２１ａ、２１ｂ）されている。
図１（ａ）に示すように、左胸ベルト７ａ、右胸ベルト７ｂの各両端は、それぞれ左右の前足脇下を通って胸部に至っている。
図１（ｂ）に示すように、左縦ベルト５ａ、右縦ベルト５ｂの下両端部は折り返し縫合によって結合（結合部２２ａ、２２ｂ）することで車輛用シートベルト１０５を挿通させるためのループを形成している。
前面胸部を覆う前身頃は、図１（ａ）に示すように、折り返す事で左右両端部にループを形成する胸部１横ベルト９ａ、胸部２横ベルト９ｂ、胸部３横ベルト９ｃが、胸部縦ベルト８に、人体骨格の肋骨のような形態になるように縫合によって結合（結合部２３ａ、２３ｂ、２３ｃ）されることで形成されている。【０００９】  前身頃と縦ベルト５で形成される後身頃は、図１（ａ）（ｂ）に示すように、胸部に至っている左胸ベルト７ａ、右胸ベルト７ｂの各両端が、それぞれ胸部１横ベルト９ａ、胸部２横ベルト９ｂ、胸部３横ベルト９ｃの左右に形成される左ループ部３１（３１ａ、３１ｂ、３１ｃ）右ループ部３２（３２ａ、３２ｂ、３２ｃ）を挿通して前足上部を通って背部に至り左胸ベルト７ａは右縦ベルト５ｂに、右胸ベルト７ｂは左縦ベルト５ａに、それぞれ着脱自在に結合可能なバックル１３（雄バックル１３ａ、雌バックル１３ｂ）を介して結合する事で一体化している。
【実施例】
【００１０】  次に、本願発明に係る実施例について説明する。
上記実施の形態では、胸部に至っている左胸ベルト７ａ、右胸ベルト７ｂの各両端は、それぞれ胸部１横ベルト９ａ、胸部２横ベルト９ｂ、胸部３横ベルト９ｃの左右に形成される左ループ部３１（３１ａ、３１ｂ、３１ｃ）右ループ部３２（３２ａ、３２ｂ、３２ｃ）を挿通して前足上部を通って背部に至り左胸ベルト７ａは右縦ベルト５ｂに、右胸ベルト７ｂは左縦ベルト５ａに、それぞれ着脱自在に結合可能なバックル１３（１３ａ、１３ｂ）を介して結合している。となっているが、左胸ベルト７ａは左縦ベルト５ａに、右胸ベルト７ｂは右縦ベルト５ｂに、それぞれ着脱自在に結合可能なバックル１３（１３ａ、１３ｂ）を介して結合しても良い。
上記実施の形態では、胸部縦ベルト８には、折り返す事で左右両端部にループを形成する胸部１横ベルト９ａ、胸部２横ベルト９ｂ、胸部３横ベルト９ｃが、人体骨格の肋骨のような形態になるように縫合によって結合（結合部２３ａ、２３ｂ、２３ｃ）されている。となっているが、胸部横ベルト９を複数本にせずに幅広にして一本でも良い。
上記実施の形態では、折り返す事で左右両端部にループを形成する胸部１横ベルト９ａ、胸部２横ベルト９ｂ、胸部３横ベルト９ｃが、人体骨格の肋骨のような形態になるように縫合によって結合（結合部２３ａ、２３ｂ、２３ｃ）されている。
【発明の効果】
【００１１】  本願発明に係る犬猫用車輛用ハーネスの効果について説明する。
胸部に於いて、胸部縦ベルト８と胸部１横ベルト９ａ、胸部２横ベルト９ｂ、胸部３横ベルト９ｃとで、人体骨格の肋骨のような形態になるような構造にしたことで、広い範囲で衝撃を受け止める事が出来、身体へのダメージを減ずることが出来る。
左胸ベルト７ａ、右胸ベルト７ｂを、それぞれ胸部１横ベルト９ａ、胸部２横ベルト９ｂ、胸部３横ベルト９ｃの左右に形成される左ループ部３１（３１ａ、３１ｂ、３１ｃ）右ループ部３２（３２ａ、３２ｂ、３２ｃ）に縫合して結合させずに、挿通させているだけのために、衝撃時に左胸ベルト７ａ、右胸ベルト７ｂが胸部から頸部方向に引き上げられても、胸部横ベルト９はその影響を受ける事がない。
したがって、胸部横ベルト９が胸ベルト７に頸部方向に引き上げられて、頸部を圧迫する事がない効果がある。
【図面の簡単な説明】
【００１２】
【図１】    本発明に係る犬猫用車輛用ハーネスを示す正面、背面図および説明図である。
【図２】    本発明に係る犬猫用車輛用ハーネスの作用を示す説明図である。
【図３】    従来の犬猫用車輛用ハーネスを説明するための説明図である。
【符号の説明】
【００１３】１      犬猫用車輛用ハーネス
５ａ    左縦ベルト
５ｂ    右縦ベルト
７ａ    左胸ベルト
７ｂ    右胸ベルト
８      胸部縦ベルト
９ａ    胸部１横ベルト
９ｂ    胸部２横ベルト
９ｃ    胸部３横ベルト
１３ａ  雄バックル
１３ｂ  雌バックル
２１ａ  結合部
２１ｂ  結合部
２２ａ  結合部
２２ｂ  結合部
２３ａ  結合部
２３ｂ  結合部
３１ａ  ループ
３１ｂ  ループ
３１ｃ  ループ
３２ａ  ループ
３２ｂ  ループ
３２ｃ  ループ
１０５  シートベルト
【図１】
2005261409.tif 000003
【図２】
2005261409.tif 000004
【図３】
2005261409.tif 000005